(57)【要約】      （修正有）【課題】長方形角管梁の任意の位置に電動工具で取り付けできる旋回支点パイプを固着させた長方形外枠を提供する。【解決手段】長方形角管梁ＫＨの断面の横幅と縦幅より大きい内側寸法の長方形外枠Ｗの下辺の中心穴内に上端部に上端板Ａを固着させた旋回支点パイプＳを挿入し、上端板Ａを長方形外枠Ｗの下辺に固着し、長方形外枠Ｗ内に長方形角管梁ＫＨの端を挿入し、その長方形外枠Ｗの上辺と上辺の下面に固着させた並行板Ｈとに８カ所の穴を開け、その４カ所にナットを固着し、各ナット内にボールプランジャーＢをネジ入れ、長方形外枠を規定位置まで移動し、他の４カ所の穴の位置下の長方形角管梁ＫＨに下穴加工とタップ加工をし、位置止めボルトＦＢをネジ入れて長方形外枠Ｗを位置止めし、長方形外枠Ｗの左右両側面それぞれの４カ所に加工するタップ穴にナットと押しボルトＮＢで旋回支点パイプＳを固着させた長方形外枠Ｗの下部分を位置固定する。【選択図】図４
0003229003.tif 000002
【実用新案登録請求の範囲】
【請求項１】
長方形角管梁の断面で横幅と縦幅との外側寸法より大きい内側寸法を有する長方形外枠を製作し、その長方形外枠の下辺と上下対称に位置させる並行板を長方形外枠の上辺の下面に固着し、その長方形外枠の下辺の横幅寸法と前後の寸法との長さより短い長さの上端板の中心穴内に上端部を固着させる旋回支点パイプを長方形外枠の下辺の中心穴内に差し入れて上端板を下辺上に固着し、その溶接作業を容易にする為と長方形外枠を軽量にする為との目的で長方形外枠の両側面の左右それぞれに大きな開口部分を形成し、長方形外枠内に長方形角管梁の端を挿入し、その長方形外枠の上辺と上辺下に当て重なる並行板との前後双方それぞれに4カ所ずつ穴を開け、開けた8カ所の穴で長手方向の内側に近い4カ所の穴それぞれに内径を合せて置くナットの4個それぞれを長方形外枠の上辺上に固着し、固着させた各ナット内にボールプランジャーをネジ入れる事でボールプランジャーの先端の鋼球部分が長方形角管梁の上辺面に当たって並行板と長方形外枠の上辺とは長方形角管梁の上面から少し浮く為に長方形外枠を長手方向に手で軽く押し転がして規定位置まで移動し、そこでボールプランジャーを回し緩める事で長方形外枠の上辺と並行板とは長方形角管梁の上面上に定着し、そこで長方形外枠の前後双方に開けた他の4カ所の穴内にポンチを入れて叩き印し、その印に開けるタップの下穴でタップ加工をしてネジ穴を開け、それら各ネジ穴内に位置止めボルトをネジ入れる事で長方形外枠を長方形角管梁に位置止めし、さらに長方形外枠の左右双方の両側面で前後双方の下部分の4カ所に開けるネジ穴の位置に合せてナットを固着し、それら各ナットにネジ入れる押しボルトの先端面が長方形角管梁の左右双方それぞれの外側面と長方形外枠の内側面との間に配置させた隙間板を押す事で長方形角管梁の下部分を左右双方の押しボルトが押し挟みし長方形外枠の下部分も位置固定し、上記のように長方形角管梁の任意の位置に電動工具で取り付けできる旋回支点パイプを固着させた長方形外枠。
【考案の詳細な説明】
【技術分野】
【０００１】
本考案は旋回支点パイプを長方形角管梁への取り付け方法。
【背景技術】
【０００２】
被介護者の身体移動介護に使用する寝台上の天井下に位置する無電動小旋回身体移動補助機は旋回支点パイプに取り付けし、便所での旋回支点パイプは長方形角管梁に溶接固定できる、しかし介護ルームのように広い部屋では非常に長尺の長方形角管梁を使用する、しかし国内の溶接設備では長尺の長方形角管梁を設置できる溶接機がなかった。
【先行技術文献】
【特許文献】
【０００３】
【特許文献１】特願2019−191849
【考案の概要】
【考案が解決しようとする課題】
【０００４】
介護ルームが広い部屋の場合は非常に長尺の長方形角管梁を使用する、しかし国内の溶接設備では長尺の長方形角管梁を設置できる溶接機がなかった。
【課題を解決するための手段】
【０００５】
上記目的を達成する為に、長方形角管梁の断面寸法で縦幅と横幅との外側寸法より大きい内側寸法を有する長方形外枠を板金曲げ加工で製作し、その長方形外枠の下辺と上下対称に位置させる並行板を長方形角管梁の上辺の下面に固着した。
【０００６】
長方形外枠の下辺の横幅と前後の長さより短い長さの上端板の中心穴内に旋回支点パイプの上端部を固着し、その旋回支点パイプを長方形外枠の下辺の中心穴内に差し入れる事で上端板を下辺上に重ね、重ねた上端板は長方形外枠の下辺に固着し、その固着作業を容易にする為と長方形外枠を軽量にする為との目的で長方形外枠の左右双方の側面それぞれに大きな開口部分を形成した。
【０００７】
長方形外枠内に長方形角管梁の端を挿入し、その長方形外枠の上辺と上辺下に重ねる並行板との前後双方それぞれに4カ所ずつの穴を開け、開けた8カ所の穴で長手方向の内側に近い穴の2カ所それぞれの穴4カ所に内径を合わせて置くナットの4個それぞれを長方形外枠の上辺上に固着し、固着した4個それぞれのナット内にボールプランジャーをネジ入れる事でボールプランジャーの先端の鋼球部分が長方形角管梁の上辺面に当たって並行板と長方形外枠とは長方形角管梁の上面から少し浮いた状態になる為に長方形外枠を手で軽く押し転がせるように移動できる。
【０００８】
規定位置まで押し転がせた長方形外枠のボールプランジャーを回し緩める事で長方形外枠の上辺と並行板とは長方形角管梁の上面上に定着し、そこで長方形外枠の前後双方に開けた他の4カ所の穴内にポンチを入れて叩き印し、その長方形角管梁の上面の印しにタップの下穴を開けてタップ加工でネジ穴を開け、そのネジ穴内に位置止めボルトをネジ入れる事で長方形外枠を長方形角管梁に位置止めした。
【０００９】
長方形外枠の左右双方の両側面で前後双方それぞれの下部分4カ所に開けるネジ穴の位置に合わせてナットを固着し、それら各ナットにネジ入れる押しボルトの先端面が長方形角管梁の左右双方の外側面と長方形外枠の内側面との間に配置させた左右双方それぞれの隙間板を押しボルトでネジ回して押し挟む事で長方形外枠の下部分を長方形角管梁の下部分に位置止めするようにし、その長方形角管梁の任意の位置に電動工具で取り付けできる旋回支点パイプを固着させた長方形外枠。
【考案の効果】
【００１０】
国内企業の溶接機では長尺のステンレスの型材の任意の位置で溶接できない場合があり、そこで市販されている5メートルの長さの長方形角管梁の任意の位置に旋回支点パイプを固着させた長方形外枠を電動工具で任意の位置に強固に固定する事が可能にした。
【図面の簡単な説明】
【００１１】
【図１】木造住宅への長方形角管梁の取り付け斜視図
【図２】旋回支点パイプに取り付けた小旋回身体移動補助機を利用して孫がおじいさんを身体移動介護する状態図
【図３】穴を開けてナットを固着した長方形外枠を長方形角管梁に配置させた斜視図
【図４】ボールプランジャーで移動させた長方形外枠を位置止めボルトと側面の押しボルトとで長方形角管梁に固定した状態の斜視図
【図５】長方形外枠と長方形角管梁との横断面図
【図６】長方形外枠と長方形角管梁との縦断面図
【考案を実施するための形態】
【００１２】
本考案の実施形態を説明する、長方形角管梁KHの断面寸法で縦幅と横幅との外側寸法より大きい内側寸法を有する長方形外枠Wを板金曲げ加工で製作し、その長方形外枠Wの下辺と上下対称に位置させる並行板Hを長方形外枠Wの上辺の下面に固着した。
【００１３】
長方形外枠Wの下辺の横幅の長さと前後の長さとの長さより短い長さの上端板Aの中心穴内に旋回支点パイプSの上端部を固着し、その旋回支点パイプSを長方形外枠Wの下辺の中心穴内に差し入れる事で上端板Aを下辺上に置き重ねし、重ねた上端板Aは長方形外枠Wの下辺上に固着し、その溶接作業を容易にする為と長方形外枠Wを軽量にする為との目的で長方形外枠Wの左右双方の側面それぞれに大きな開口部分を形成した。
【００１４】
長方形外枠W内に長方形角管梁KHの端を挿入し、その長方形外枠Wの上辺と上辺下に重なる並行板Hとの前後双方それぞれに4カ所ずつの穴を開け、開けた8カ所の穴で長手方向の内側に近い穴の2カ所それぞれの穴4カ所に内径を合せて置くナットの4個それぞれを長方形外枠Wの上辺上に固着し、固着した4個それぞれのナット内にボールプランジャーBをネジ入れる事で各ボールプランジャーBの先端の鋼球部分が長方形角管梁KHの上辺上に当たって並行板Hと長方形外枠Wの上辺とは長方形角管梁KHの上面から少し浮いた状態になる為に長方形外枠Wを手で軽く押し転がせるように長方形角管梁KH上を移動できる。
【００１５】
規定位置まで押し転がせた長方形外枠WのボールプランジャーBを回し緩める事で長方形外枠Wの上辺と並行板Hとは長方形角管梁KHの上面上に定着し、そこで長方形外枠の前後双方に開けた他の4カ所の穴F内にポンチを入れて叩き印し、その長方形角管梁KHの上面の印しにタップの下穴を開けてタップ加工でネジ穴を開け、そのネジ穴内に位置止めボルトFBをネジ入れる事で旋回支点パイプSを固着させた長方形外枠Wを長方形角管梁KHに位置止めした。
【００１６】
長方形外枠Wの左右双方の両側面で前後双方の下部分それぞれの4カ所の側面に開けるネジ穴の位置に合せて側面ナットNを固着し、それら各側面ナットNにネジ入れる押しボルトNBの先端面が長方形角管梁KHの左右双方それぞれの外側面と長方形外枠Wの内側面との間に配置させた左右双方の隙間板Eを押しボルトNBを回して押す事で長方形外枠の下部分を長方形角管梁の下部分に位置固定するようにし、上記のように長方形角管梁KHの任意の位置に電動工具で取り付けできる旋回支点パイプSを固着させた長方形外枠W。
【符号の説明】
【００１７】
KH    長方形角管梁
W      長方形外枠
S      旋回支点パイプ
H      並行板
A      上端板
B      ボールプランジャー
F      穴
FB    位置止めボルト
N      側面ナット
NB    押しボルト
E      隙間板
T      天井
HH    梁
BH    柱
J      筋交い
JK    補強金物
【図１】
0003229003.tif 000003
【図２】
0003229003.tif 000004
【図３】
0003229003.tif 000005
【図４】
0003229003.tif 000006
【図５】
0003229003.tif 000007
【図６】
0003229003.tif 000008